【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
振動を測定するためのシステムであって、前記システムは、
振動測定装置と、
前記振動測定装置に動作可能に接続される出力デバイスであって、前記出力デバイスは、前記振動測定装置によって測定される振動に少なくとも部分的に基づいて指標を生成するように構成されている、出力デバイスと
を含み、
前記振動測定装置は、
１つ以上の統合コンプライアント領域を有する基板と、
複数の強磁性質量体であって、各強磁性質量体は、前記統合コンプライアント領域のうちの対応する１つ以上に連結され、前記複数の強磁性質量体のうちの少なくとも１つは、基板加速に応答して、前記基板に対して移動し、前記複数の強磁性質量体のうちの少なくとも２つは、内部磁極が磁束間隙によって相互から分離されるように配置される内部磁極を有し、各内部磁極の磁極性は、前記磁束間隙の反対側上の前記内部磁極の磁極性に類似する、複数の強磁性質量体と、
前記基板に連結され、かつ、前記磁束間隙内に配置される１つ以上のコイルであって、前記１つ以上のコイルは、前記基板に対する前記複数の強磁性質量体のうちの少なくとも１つの強磁性質量体の運動から生じる変化する磁束に曝露され、前記１つ以上のコイルは、前記少なくとも２つの強磁性質量体間の前記磁束間隙内に配置されている、１つ以上のコイルと
を含む、システム。
【請求項２】
前記１つ以上のコイルは、前記複数の強磁性質量体の内面によって境界される領域に配置されている、請求項１に記載のシステム。
【請求項３】
前記１つ以上のコイルは、前記少なくとも２つの強磁性質量体の外側の前記磁束間隙内に配置されている、請求項１に記載のシステム。
【請求項４】
前記１つ以上のコイルは、前記少なくとも２つの強磁性質量体を包囲して前記磁束間隙内に配置されている、請求項１に記載のシステム。
【請求項５】
前記１つ以上のコイルは、前記統合コンプライアント領域のうちの１つ以上に接続されている、請求項１に記載のシステム。
【請求項６】
前記少なくとも２つの強磁性質量体は、相互に堅固に連結され、かつ、同期的に移動するように配置されている、請求項１に記載のシステム。
【請求項７】
前記１つ以上のコイルは、直列または並列に接続されている少なくとも２つのコイルを含む、請求項１に記載のシステム。
【請求項８】
前記１つ以上のコイルの外縁部に取り付けられている慣性質量体をさらに含む、請求項５に記載のシステム。
【請求項９】
前記複数の強磁性質量体は、６つの強磁性質量体を含み、２つの強磁性質量体は、第１の方向における移動を検出するように構成され、２つの強磁性質量体は、前記第１の方向に実質的に垂直な第２の方向における移動を検出するように構成され、２つの強磁性質量体は、前記第１の方向および前記第２の方向に実質的に垂直な第３の方向における移動を検出するように構成されている、請求項１に記載のシステム。
【請求項１０】
振動を測定するための方法であって、前記方法は、
１つ以上のコイルを複数の強磁性質量体間に生成された磁束間隙内に配置することであって、前記複数の強磁性質量体のうちの少なくとも２つは、前記磁束間隙によって相互から分離される内部磁極を有し、各内部磁極の磁極性は、前記磁束間隙の反対側上の前記内部磁極の磁極性と類似する、ことと、
前記複数の強磁性質量体のうちの少なくとも１つの運動から生じる変化する磁束に応答して、前記１つ以上のコイル上で生成される電圧を測定することと、
前記測定された電圧に少なくとも部分的に基づいて振動の指標を生成することと
を含み、
前記１つ以上のコイルを配置することは、前記１つ以上のコイルを前記少なくとも２つの強磁性質量体間の前記磁束間隙内に配置することを含む、方法。
【請求項１１】
前記１つ以上のコイルを配置することは、前記１つ以上のコイルを前記複数の強磁性質量体の内面によって境界される領域に配置することを含む、請求項１０に記載の方法。
【請求項１２】
前記１つ以上のコイルを配置することは、前記１つ以上のコイルを前記少なくとも２つの強磁性質量体の外側の前記磁束間隙内に配置することを含む、請求項１０に記載の方法。
【請求項１３】
前記１つ以上のコイルを配置することは、前記１つ以上のコイルを前記少なくとも２つの強磁性質量体を包囲して前記磁束間隙内に配置することを含む、請求項１０に記載の方法。
【請求項１４】
前記１つ以上のコイルは、１つ以上の統合コンプライアント領域に接続される、請求項１０に記載の方法。
【請求項１５】
前記少なくとも２つの強磁性質量体は、相互に堅固に連結され、かつ、同期的に移動するように配置される、請求項１０に記載の方法。
【請求項１６】
前記１つ以上のコイルは、直列または並列に接続される、請求項１０に記載の方法。
【請求項１７】
前記複数の強磁性質量体は、６つの強磁性質量体を含み、２つの強磁性質量体は、第１の方向における移動を検出するように構成され、２つの強磁性質量体は、前記第１の方向に実質的に垂直な第２の方向における移動を検出するように構成され、２つの強磁性質量体は、前記第１の方向および前記第２の方向に実質的に垂直な第３の方向における移動を検出するように構成される、請求項１０に記載の方法。
【請求項１８】
前記振動の指標を生成することは、前記指標を出力することを含む、請求項１０に記載の方法。
【請求項１９】
前記指標をログに記録することをさらに含む、請求項１０に記載の方法。
【請求項２０】
前記指標を記録することは、前記指標をユーザ定義のスケジュールで記録することを含む、請求項１９に記載の方法。
【手続補正２】
【補正対象書類名】明細書
【補正対象項目名】００１２
【補正方法】変更
【補正の内容】
【００１２】
上に説明される受振器の別の代替の実施形態において、コイルは、磁束間隙の外側または近傍で、急峻な磁束勾配領域内に配置されてもよい。
本願明細書は、例えば、以下の項目も提供する。
（項目１）
振動を測定するためのシステムであって、
振動測定装置と、
前記振動測定装置によって測定される振動に少なくとも部分的に基づいて指標を生成するように構成される、前記振動測定装置に動作可能に接続される出力デバイスと
を含み、
前記振動測定装置は、
１つ以上の統合コンプライアント領域を有する基板と、
複数の強磁性質量体であって、各強磁性質量体は、前記統合コンプライアント領域のうちの対応する１つ以上に連結され、前記強磁性質量体のうちの少なくとも１つは、基板加速に応答して、前記基板に対して移動し、前記複数の強磁性質量体のうちの少なくとも２つは、内部磁極が磁束間隙によって相互から分離されるように配置される内部磁極を有し、各内部磁極の磁極性は、前記磁束間隙の反対側上の前記内部磁極の磁極性に類似する、強磁性質量体と、
前記基板に連結され、かつ、前記磁束間隙内に配置される１つ以上のコイルであって、前記１つ以上のコイルは、前記基板に対する前記強磁性質量体のうちの少なくとも１つの強磁性質量体の運動から生じる変化する磁束に曝露される、１つ以上のコイルと
を含む、システム。
（項目２）
前記１つ以上のコイルは、前記少なくとも２つの強磁性質量体間の前記磁束間隙内に配置される、項目１に記載のシステム。
（項目３）
前記１つ以上のコイルは、前記少なくとも２つの強磁性質量体の外側の前記磁束間隙内に配置される、項目１に記載のシステム。
（項目４）
前記１つ以上のコイルは、前記少なくとも２つの強磁性質量体を包囲して前記磁束間隙内に配置される、項目１に記載のシステム。
（項目５）
前記１つ以上のコイルは、前記統合コンプライアント領域のうちの１つ以上に接続される、項目１に記載のシステム。
（項目６）
前記少なくとも２つの強磁性質量体は、相互に堅固に連結され、かつ、同期的に移動するように配置される、項目１に記載のシステム。
（項目７）
前記１つ以上のコイルは、直列または並列に接続される少なくとも２つのコイルを含む、項目１に記載のシステム。
（項目８）
前記１つ以上のコイルの外縁部に取り付けられる慣性質量体をさらに含む、項目５に記載のシステム。
（項目９）
前記複数の強磁性質量体は、６つの強磁性質量体を含み、２つの強磁性質量体は、第１の方向における移動を検出するように構成され、２つの強磁性質量体は、前記第１の方向に実質的に垂直な第２の方向における移動を検出するように構成され、２つの強磁性質量体は、前記第１の方向および前記第２の方向に実質的に垂直な第３の方向における移動を検出するように構成される、項目１に記載のシステム。
（項目１０）
振動を測定するための方法であって、
１つ以上のコイルを複数の強磁性質量体間に生じる磁束間隙内に配置することであって、前記複数の強磁性質量体のうちの少なくとも２つは、前記磁束間隙によって相互から分離される内部磁極を有し、各内部磁極の磁極性は、前記磁束間隙の反対側上の前記内部磁極の磁極性と類似する、ことと、
前記強磁性質量体のうちの少なくとも１つの運動から生じる変化する磁束に応答して、前記１つ以上のコイル上で生成される電圧を測定することと、
前記測定された電圧に少なくとも部分的に基づいて振動の指標を生成することと
を含む、方法。
（項目１１）
前記１つ以上のコイルを配置することは、前記１つ以上のコイルを前記少なくとも２つの強磁性質量体間の前記磁束間隙内に配置することを含む、項目１０に記載の方法。
（項目１２）
前記１つ以上のコイルを配置することは、前記１つ以上のコイルを前記少なくとも２つの強磁性質量体の外側の前記磁束間隙内に配置することを含む、項目１０に記載の方法。
（項目１３）
前記１つ以上のコイルを配置することは、前記１つ以上のコイルを前記少なくとも２つの強磁性質量体を包囲して前記磁束間隙内に配置することを含む、項目１０に記載の方法。
（項目１４）
前記１つ以上のコイルは、１つ以上の統合コンプライアント領域に接続される、項目１０に記載の方法。
（項目１５）
前記少なくとも２つの強磁性質量体は、相互に堅固に連結され、かつ、同期的に移動するように配置される、項目１０に記載の方法。
（項目１６）
前記１つ以上のコイルは、直列または並列に接続される、項目１０に記載の方法。
（項目１７）
前記複数の強磁性質量体は、６つの強磁性質量体を含み、２つの強磁性質量体は、第１の方向における移動を検出するように構成され、２つの強磁性質量体は、前記第１の方向に実質的に垂直な第２の方向における移動を検出するように構成され、２つの強磁性質量体は、前記第１の方向および前記第２の方向に実質的に垂直な第３の方向における移動を検出するように構成される、項目１０に記載の方法。
（項目１８）
前記振動の指標を生成することは、前記指標を出力することを含む、項目１０に記載の方法。
（項目１９）
前記指標をログに記録することをさらに含む、項目１０に記載の方法。
（項目２０）
前記指標を記録することは、前記指標をユーザ定義のスケジュールで記録することを含む、項目１９に記載の方法。